(57)【特許請求の範囲】
【請求項１】
レバーの回転中心部を中心とする運動によってスイッチをオン・オフ動作させる遊技操作レバー装置において、レバーを支持する容器の前面には複数の前導光用孔がレバーを囲むように設けられ、容器の内部には光放出部を前部に備えた複数の導光部材とレバーを囲む環状の回路基板の前面に複数の光源を実装した光源ユニットとが配置され、複数の導光部材が複数の前導光用孔に個別に配置され、複数の光源からの光が導光部材の後面から導光部材の内部を経由して光放出部から個別に放出される構成としたことを特徴とする遊技操作レバー装置。
【請求項２】
複数の前導光用孔が前後方向への貫通孔として設けられ、複数の導光部材を容器の内部から複数の前導光用孔に個別に収容することを特徴とする請求項１記載の遊技操作レバー装置。
【請求項３】
容器が前容器と後容器とから構成され、前記容器に収容される導光部材と回路基板との間には複数の前導光用孔と対応する複数の後導光用孔を備えた導光支持部材を有し、前記導光支持部材の複数の後導光用孔には複数の光源が個別に収容されるとともに、前容器と後容器とが互いに結合された場合に導光部材と導光支持部材と後回路基板とが前容器と後容器とで前後方向から支持されることを特徴とする請求項１記載の遊技操作レバー装置。
【請求項４】
容器の前面にはレバーが挿入されるレバー用孔を囲むと共に複数の前導光用孔を前後方向への貫通孔として備えた前外突部が前方に突出して設けられ、複数の導光部材を容器の内部から複数の前導光用孔に個別に収容し、前外突部を遊技操作レバー装置を設置するための相手側部材の後方から相手側部材に形成された貫通孔に収容し、固定具が容器の取付部を経由して相手側部材の取付部に装着されて、遊技操作レバー装置が相手側部材に取り付けられる構成としたことを特徴とする請求項１記載の遊技操作レバー装置。
【発明の詳細な説明】
【技術分野】
【０００１】
本発明は、レバーの周囲を光で表示できる遊技操作レバー装置に関する。
【背景技術】
【０００２】
特許文献１で開示された遊技操作レバー装置は、複数の光源がレバーの先端に設けられた操作部材の内部に１つの円周上に円周方向へ等間隔に配置されている。しかしながら、電線がパイプ状のレバーの後方から当該レバーの内部を経由して光源に配線される構造であるため、電線の配線構造が複雑になるという欠点がある。
【先行技術文献】
【特許文献】
【０００３】
【特許文献１】特願２０００−１２６３６４号公報
【発明の概要】
【発明が解決しようとする課題】
【０００４】
発明が解決しようとする問題点は、照明が適切に行えないという点である。
【課題を解決するための手段】
【０００５】
本発明は、レバーの回転中心部を中心とする運動によってスイッチをオン・オフ動作させる遊技操作レバー装置において、レバーを支持する容器の前面には複数の前導光用孔がレバーを囲むように設けられ、容器の内部には光放出部を前部に備えた複数の導光部材とレバーを囲む環状の回路基板の前面に複数の光源を実装した光源ユニットとが配置され、複数の導光部材が複数の前導光用孔に個別に配置され、複数の光源からの光が導光部材の後面から導光部材の内部を経由して光放出部から個別に放射される構成としたことを特徴とする。
【発明の効果】
【０００６】
本発明に係る遊技操作レバー装置は、複数の光源がレバー周囲を光で表示することができるという利点がある。
【図面の簡単な説明】
【０００７】
【図１】Ａ図は実施の形態１に係る遊技操作レバー装置を示す斜視図、Ｂ図は実施の形態１に係る遊技操作レバー装置を示す正面図、Ｃ図は実施の形態１に係る遊技操作レバー装置が相手側部材に取り付けられた状態を示す斜視図。
【図２】実施の形態１に係る遊技操作レバー装置を示す分解図。
【図３】実施の形態１に係る前容器の後部を示す斜視図。
【図４】実施の形態１に係る後容器の後部を示す斜視図。
【図５】実施の形態１に係る固定軸受の後部と可動軸受の後部とを示す斜視図。
【図６】実施の形態１に係る遊技操作レバー装置の中立状態を示す縦断面図。
【図７】実施の形態１に係る遊技操作レバー装置の動作状態を示す縦断面図。
【図８】実施の形態２に係る遊技操作レバー装置を示す分解図。
【図９】実施の形態２に係る遊技操作レバー装置の中立状態を示す縦断面図。
【図１０】実施の形態２に係る遊技操作レバー装置の動作状態を示す縦断面図。
【図１１】実施の形態３に係る容器とスイッチとスイッチホルダー及び裏カバーを示す分解図。
【発明を実施するための形態】
【０００８】
「実施の形態１」
本明細書における「前」、「後」、「左」、「右」、「上」、「下」の方向は、図１のＡ図の状態に遊技操作レバー装置１を置いて矢印Ｓで示す前方から見た場合に特定される方向である。
【０００９】
図１を参照し、実施の形態１に係る遊技操作レバー装置１を前方から見た外観について説明する。図１のＡ図において、遊技操作レバー装置１は、複数の光放出部４６が容器２の前面でレバー３を中心とする１つの円周上に円周方向へ等間隔に配置されたことによって、レバー３の周囲を複数の光放出部４６から放射される光で遊技演出を表示することができる。操作部材４がレバー３の前部に設けられる。遊技操作レバー装置１を相手側部材８８（図１のＣ図参照）に取り付ける場合に使用される取付部２６が容器２の周辺部に設けられる。
【００１０】
図１のＢ図に示すように、遊技操作レバー装置１を正面から見た場合、複数の光放出部４６が操作部材４よりも外側に位置して見えるように、光放出部４６の配置される１つの円周の直径が操作部材４の直径よりも大きくなっているので、遊技者が操作部材４を手で操作していても、複数の光放出部４６から放射される光による遊技演出を遊技者に適切に認識させることができる。
【００１１】
図１のＣ図において、遊技操作レバー装置１が相手側部材８８に取り付けられた外観について説明する。相手側部材８８は、遊技機筐体の遊技操作レバー装置１を設置する部分を構成する部材である。遊技操作レバー装置１の操作部材４が相手側部材８８の後方から相手側部材８８に形成された貫通孔８９を貫通した後、遊技操作レバー装置１の前外突部２３が貫通孔８９に収容され、前外突部２３の前部が相手側部材８８の前面よりも前方に突出する。その後、図外のタッピングスクリューのような固定具が遊技操作レバー装置１の後から取付部２６（図１のＡ図参照）を経由して相手側部材８８の図外の取付部に装着されることによって、遊技操作レバー装置１が相手側部材８８に取り付けられる。
【００１２】
図２乃至図５を参照し、実施の形態１に係る遊技操作レバー装置１の各構成部材について詳述する。
【００１３】
図２において、遊技操作レバー装置１は、容器２、レバー３、操作部材４、固定軸受５、可動軸受６、ワッシャ７、ナット８、複数の導光部材９、導光支持部材１０、光源ユニット１１、ユニットカバー１２、スライダー１３、スイッチ作動体１４、中立保持ばね１５、スイッチ１６、スイッチホルダー１７を備える。
【００１４】
容器２としては、前容器２１と後容器２２とから構成された例を示す。前容器２１には、前外突部２３、前内突部２４、取付部２５；２６が設けられる。前外突部２３は、前容器２１の前面の中央から前方に突出する円盤状の突起を構成する。前外突部２３の前内突部２４を囲む周縁部には、複数の前導光用孔２７がレバー用孔２８を中心とする１つの円周上に円周方向へ等間隔に配置され、前後方向への貫通孔として設けられる。前内突部２４は、前外突部２３の前面の中央から前方に突出する円盤状の突起を構成する。前内突部２４の中央部には、レバー用孔２８が前後方向への貫通孔として設けられる。取付部２５は、前容器２１と後容器２２とを互いに結合する場合に使用されるものであって、前容器２１の前外突部２３を囲む周縁部に前後方向への貫通孔として設けられる。取付部２６は、遊技操作レバー装置１を取り付ける場合に使用されるものであって、前容器２１の前外突部２３を囲む周縁部に前後方向への貫通孔として設けられる。取付部２５；２６は、互いに設けられる位置が異なる。
【００１５】
後容器２２には、外嵌合部３０、内嵌合部３１、機構ユニット収容部３２、取付部３３；３４が設けられる。外嵌合部３０は、前容器２１の後嵌合部７１（図３参照）に嵌め込まれるものであって、後容器２２の前面から前方に突出する。内嵌合部３１は、前容器２１の筒状隔壁７６（図３参照）に嵌め込まれるものであって、外嵌合部３０の前面の中央から前方に突出する筒状の突起を構成する。機構ユニット収容部３２は、内嵌合部３１の前面から後方に窪む、前方から見て円形状に構成される。取付部３３は、前容器２１と後容器２２とを互いに結合する場合に使用されるものであって、外嵌合部３０の周縁部に形成される。取付部３４は、遊技操作レバー装置１を取り付ける場合に使用されるものであって、外嵌合部３０の周縁部に形成される。取付部３３；３４は、互いに設けられる位置が異なる。
【００１６】
レバー３の前部には球状の操作部材４が設けられ、レバー３の後部にはレバー３よりも細い挿入部３６が設けられ、挿入部３６の後部には取付部としての雄螺子部３７が設けられる。固定軸受５には、前突部３９及びレバー用孔４０が設けられる。前突部３９は、固定軸受５の前面の中央部から前方に突出する筒状の突起を構成する。レバー用孔４０は、前後方向への貫通孔として、前突部３９の中央部に形成される。
【００１７】
可動軸受６には、レバー取付部４２、突部収容部４３、可動受突部４４が設けられる。レバー取付部４２は、前後方向への貫通孔として、可動軸受６の中央部に形成される。突部収容部４３は、レバー取付部４２を囲み、可動軸受６の前面から内部への窪みとして、可動軸受６の前部に形成される。可動受突部４４は、突部収容部４３を囲む環状の突起として、可動軸受６の前部に形成される。
【００１８】
ワッシャ７及びナット８は、レバー３を可動軸受６に固定する固定具を構成する。複数の導光部材９は、複数の前導光用孔２７と同数設けられる。導光部材９の前部には、光放出部４６が導光部材９の中間部よりも細い棒状に形成される。光放出部４６の前部は、レンズとして構成される。導光部材９の後部には、光取入部４７が導光部材９の中間部よりも細い棒状に形成される。導光部材９は、光取入部４７の後面から導光部材９の内部に進入した光を光放出部４６のレンズに誘導する。
【００１９】
導光支持部材１０は、光を透過しない材料により環状に構成される。導光支持部材１０には、複数の後導光用孔４９と複数の補助孔５０とが導光支持部材１０の中心を中心とする１つの円周上に円周方向へ等間隔に交互に配置され、前後方向への貫通孔として設けられる。後導光用孔４９と補助孔５０との配置される１つの円周の直径は、前導光用孔２７の配置される１つの円周の直径と同じ寸法である。補助孔５０は、導光支持部材１０が合成樹脂製の場合後導光用孔４９の周りを囲む部分に肉引けと呼ばれる現象が発生しないようにするために設けられたものである。
【００２０】
光源ユニット１１は、複数のＬＥＤのような光源５２が環状の回路基板５３の前面に実装され、回路基板５３にコネクタ５４で装着された電線５５から供給される電力で点灯する。光源５２は、回路基板５３の中心を中心とする１つの円周上に円周方向へ等間隔に配置される。光源５２の配置される１つの円周の直径は、後導光用孔４９の配置される１つの円周の直径と同じ寸法である。ユニットカバー１２は、ゴムのような弾性部材により環状に構成される。
【００２１】
スライダー１３は、容器２の内部において前後方向に移動する部材であって、スイッチ作動体１４、ガイド部５７を備える。スイッチ作動体１４は、スライダー１３の中心部から後方に突出する突起として設けられる。ガイド部５７は、スライダー１３の直径方向に撓む弾性部材として、スライダー１３の周縁部に設けられる。ガイド部５７の外側面には、突起５８が設けられる。スライダー１３が容器２の内部に収容された場合、突起５８がガイド部５７による弾性下で機構ユニット収容部３２（図３参照）の内周面に接触する。
【００２２】
中立保持ばね１５は、レバー３を中立位置に保持するような弾力をレバー３に与えるものであって、例えばコイルスプリングにより構成される。スイッチ１６は、光電スイッチにより構成される。つまり、スイッチ１６は、発光部６０と受光部６１とが凹部６２を隔てて互いに対峙し、電力が電線６３からスイッチ１６に供給された場合、発光部６０から放出された光６４が受光部６１で受光される構成である。
【００２３】
スイッチホルダー１７には、スイッチ収容部６６、開口６７、配線用溝６８、取付部６９が設けられる。スイッチ収容部６６は、スイッチホルダー１７の前面から内部への窪みとして、スイッチホルダー１７の前部に形成される。開口６７は、スイッチ収容部６６の後部を塞ぐ後壁に前後方向への貫通孔として設けられる。配線用溝６８は、スイッチホルダー１７の前方とスイッチホルダー１７の外側とスイッチ収容部６６とに開口し、スイッチホルダー１７の前面から後方に窪む形状である。取付部６９は、後容器２２とスイッチホルダー１７とを互いに結合する場合に使用されるものであって、スイッチホルダー１７の周縁部に設けられる。
【００２４】
図３において、前容器２１には、後嵌合部７１、光源ユニット収容部７２、軸受収容部７３、配線用溝７４が設けられる。後嵌合部７１は、前容器２１の後面から内部に窪み、後方から見て方形状に構成される。光源ユニット収容部７２は、後嵌合部７１から前方に窪み、レバー用孔２８を中心とする環状に構成される。光源ユニット収容部７２には、放射隔壁７５が複数の前導光用孔２７を１つずつ仕切るよう設けられたことによって、各導光部材９（図２参照）の前部が前容器２１の後方から各前導光用孔２７に挿入されやすくなる。軸受収容部７３は、光源ユニット収容部７２で囲まれる面から前方に窪み、レバー用孔２８を中心としかつレバー用孔２８に繋がる円形状に構成される。光源ユニット収容部７２と軸受収容部７３とは、筒状隔壁７６によって仕切られる。配線用溝７４は、前容器２１の後方と前容器２１の外側と光源ユニット収容部７２とに開口し、前容器２１の後面から前方に窪む形状である。
【００２５】
図４において、後容器２２には、作動体用孔７８、スイッチ収容部７９、配線用溝８０、取付部８１が設けられる。作動体用孔７８は、前後方向への貫通孔として、機構ユニット収容部３２（図２参照）の後壁の中心部に形成される。スイッチ収容部７９は、機構ユニット収容部３２（図２参照）の後壁と後容器２２の後面とにわたって形成される。配線用溝８０は、後容器２２の後方と後容器２２の外側とスイッチ収容部７９とに開口し、スイッチ収容部７９を囲む周壁の後面から前方に窪む形状である。取付部８１は、後容器２２とスイッチホルダー１７（図２参照）とを互いに結合する場合に使用されるものであって、機構ユニット収容部３２の後壁と後容器２２の後面とに形成される。
【００２６】
図５において、固定軸受５には、固定受突部８３が設けられる。固定受突部８３は、レバー用孔４０を囲む筒状として、固定軸受５から後部に突出する突起を構成する。可動軸受６には、固定具収容部８４が設けられる。固定具収容部８４は、レバー取付部４２を囲み、可動軸受６の後面から内部への窪みとして、可動軸受６の後部に形成される。
【００２７】
図２を参照し、遊技操作レバー装置１の組立方について説明する。固定軸受５が前容器２１の後から軸受収容部７３（図３参照）に収容され、可動軸受６が固定軸受５の後に重ね合わされ、レバー３の雄螺子部３７が前容器２１の前からレバー用孔２８及び固定軸受５のレバー用孔４０を貫通して可動軸受６のレバー取付部４２に挿入されることによって、レバー３の挿入部３６がレバー取付部４２に配置され、雄螺子部３７が可動軸受６の固定具収容部８４（図３参照）に配置される。そして、ワッシャ７が前容器２１の後から雄螺子部３７に装着された後、ナット８が前容器２１の後から雄螺子部３７に装着されることによって、可動軸受６のレバー取付部４２周りの部分がレバー３の挿入部３６周りの端面とナット８とで挟まれ、レバー３が可動軸受６に固定される。
【００２８】
また、複数の導光部材９の光放出部４６が前容器２１の後から複数の前導光用孔２７に個別に挿入され、導光支持部材１０が複数の導光部材９の後に重ね合わされる際、複数の導光部材９の光取入部４７が導光支持部材１０の複数の後導光用孔４９に個別に収容され、次に、光源ユニット１１の複数の光源５２が導光支持部材１０の後から後導光用孔４９に個別に収容され、ユニットカバー１２が光源ユニット１１の回路基板５３の後に重ね合わされる。これによって、導光部材９の中間部と導光支持部材１０と光源ユニット１１及びユニットカバー１２が前容器２１の光源ユニット収容部７２（図３参照）に配置され、光源ユニット１１のコネクタ５４や電線５５の一部が前容器２１の配線用溝７４（図３参照）に配置され、電線５５の残りの部分が前容器２１から外側に突出する。
【００２９】
また、スイッチ１６の前部が後容器２２のスイッチ収容部７９（図４参照）に収容され、スイッチホルダー１７が後容器２２に重ね合わされ、スイッチ１６の後部がスイッチホルダー１７のスイッチ収容部６６に収容され、タッピングスクリューのような固定具８６が後容器２２の前から後容器２２の取付部８１（図４参照）を貫通しスイッチホルダー１７の取付部６９に装着される。その場合、電線５５の一部が後容器２２の配線用溝８０（図４参照）とスイッチホルダー１７の配線用溝６８とに配置され、電線５５の残りの部分が後容器２２及びスイッチホルダー１７から外側に突出する。
【００３０】
このようにスイッチホルダー１７が後容器２２に組み付けられた場合、後容器２２とス
イッチホルダー１７とがスイッチ１６を前後方向から挟み、スイッチ１６の凹部６２がスイッチホルダー１７の開口６７と対向する。その後、中立保持ばね１５が後容器２２の前から機構ユニット収容部３２に収容され、スイッチ作動体１４が後容器２２の前から中立保持ばね１５の内部を経由して後容器２２の作動体用孔７８（図４参照）に挿入され、スイッチ作動体１４の後部が機構ユニット収容部３２よりも後に突出するのに伴い、スライダー１３が機構ユニット収容部３２に収容される。
【００３１】
そして、前容器２１と後容器２２とが互いに組み合わせられる。その場合、前容器２１は、レバー３、操作部材４、固定軸受５、可動軸受６、ワッシャ７、ナット８、導光部材９、導光支持部材１０、光源ユニット１１、ユニットカバー１２のそれぞれが装着された状態である。後容器２２は、スライダー１３、スイッチ作動体１４、中立保持ばね１５、スイッチ１６、スイッチホルダー１７のそれぞれが装着された状態である。また、前容器２１と後容器２２とが互いに組み合わせられる場合、後容器２２の外嵌合部３０と前容器２１の後嵌合部７１（図３参照）とが互いに嵌め合わされ、後容器２２の内嵌合部３１と前容器２１の筒状隔壁７６（図３参照）とが互いに嵌め合わされる。その後、タッピングスクリューのような固定具８７が前容器２１の前から取付部２５を経由して後容器２２の取付部３３に装着され、前容器２１と後容器２２とが互いに結合される。これによって、遊技操作レバー装置１が図６に示すように構成される。
【００３２】
図６に示すように、遊技操作レバー装置１が構成された場合、ユニットカバー１２が後容器２２の外嵌合部３０と光源ユニット１１の回路基板５３とで圧縮され、そのユニットカバー１２の反力としての弾力が複数の導光部材９や導光支持部材１０及び回路基板５３のそれぞれを前に押す。これによって、複数の導光部材９、導光支持部材１０、ユニットカバー１２、回路基板５３のそれぞれが、がたつくことがないように、前容器２１と後容器２２とで支持されるうえ、可動軸受６がスライダー１３を後方に押し、スライダー１３が中立保持ばね１５を圧縮し、その中立保持ばね１５の反力としての弾力がスライダー１３及び可動軸受６を経由して固定軸受５に伝達され、固定軸受５が前容器２１に受け止められ、レバー３が前容器２１に対し上記中立保持ばね１５の弾力によって中立位置に保持され、レバー３の前後方向に延びる中心線Ｌ２と容器２の前後方向に延びる中心線Ｌ１とが互いに重なり、スイッチ作動体１４の後部がスイッチ１６の光６４よりも前に離れて配置され、スイッチ１６がスイッチ作動体１４を検出していないオフ動作した状態になる。
【００３３】
その状態において、図７に示すように、遊技者が操作部材４を上から下に又は右から左に又は斜めに押すことによって、レバー３が中立保持ばね１５の弾性に抗して固定軸受５及び可動軸受６からなる回転中心部を中心とする放射状の方向に揺動運動を行う。これに伴い、容器２の中心線Ｌ１とレバー３の中心線Ｌ２とが回転中心部を交差点として互いに交差し、可動軸受６が傾いてスライダー１３を後方に押して、スイッチ作動体１４が中立保持ばね１５の弾性に抗して前方から後方に直線的に移動し、スイッチ作動体１４がスイッチ１６の光６４を遮断し、スイッチ１６がスイッチ作動体１４を検出したオン動作した状態になる。つまり、遊技操作レバー装置１は、レバー３が固定軸受５及び可動軸受６からなる回転中心部を中心とする揺動運動を行うと、スイッチ作動体１４が前後方向の直線運動を行う構造になっている。
【００３４】
「実施の形態２」
図８を参照し、実施の形態４に係る遊技操作レバー装置１ついて説明する。レバー３と操作部材４と固定軸受５と可動軸受６と導光部材９と導光支持部材１０とレバー３の周囲を光で表示する光源ユニット１１及びユニットカバー１２が前容器２１に装着され、スライダー１３とスイッチ作動体１４と中立保持ばね１５と操作部材４を光で表示する光源ユニット９４とばね受体１０６とスイッチ１６及びスイッチホルダー１７が後容器２２に装着され、前容器２１と後容器２２とが互いに固定具８７で結合される。これによって、遊技操作レバー装置１が図９に示すように構成される。
【００３５】
図２と異なる構成について説明すると、図８に示すように、レバー３が、レバー３の後面から内部に取り込まれた光を前方の操作部材４に誘導する導光部１１１（図９参照）を有する。操作部材４が、レバー３から操作部材４に誘導された光で表示されるように光透過性の合成樹脂により球状に構成される。操作部材４の内部に図外の拡散部材又は拡散材を入れ、レバー３から操作部材４に放出された光を上記拡散部材で操作部材４の球面に向けて拡散するようにしてもよい。レバー３の雄螺子部３７が前容器２１の前からレバー用孔２８及び固定軸受５のレバー用孔４０を経由して可動軸受６のレバー取付部４２としての雌螺子孔に装着されることによって、レバー３が可動軸受６に固定される。これによって、レバー３と操作部材４と固定軸受５及び可動軸受６が前容器２１に装着される。
【００３６】
また、複数の導光部材９の光放出部４６が前容器２１の後から複数の前導光用孔２７に個別に挿入され、導光支持部材１０が複数の導光部材９の後に重ね合わされる際、複数の導光部材９の光取入部４７が導光支持部材１０の複数の後導光用孔４９に個別に収容され、次に、光源ユニット１１の複数の光源５２が導光支持部材１０の後から後導光用孔４９に個別に収容され、ユニットカバー１２が光源ユニット１１の回路基板５３の後に重ね合わされる。これによって、導光部材９と導光支持部材１０とレバー３の周囲を光で表示する光源ユニット１１及びユニットカバー１２が前容器２１に装着される。
【００３７】
スライダー１３には、突起５８を有するガイド部５７、光源ユニット収容部９１、光源ユニット逃げ部９２、光透過孔９３が設けられる。光源ユニット収容部９１は、スライダー１３の後面から内部への窪みとしてスライダー１３に形成される。光源ユニット逃げ部９２は、スライダー１３の後方及び径方向に開口する溝として、スライダー１３の光源ユニット収容部９１を囲む周壁に形成される。光透過孔９３は、前後方向への貫通孔として、スライダー１３の前壁の中心部に形成される。
【００３８】
操作部材４を光で表示する光源ユニット９４は、ＬＥＤのような光源９５と回路基板９６と前支持部材９７及び後支持部材９８とを備える。光源９５が回路基板９６の前面に実装され、回路基板９６に装着された電線９９から供給される電力で光源９５が点灯する。前支持部材９７に設けられた取付部１００と後支持部材９８に設けられた取付部１０１とが互いに嵌め合わされて、前支持部材９７及び後支持部材９８が回路基板９６を前後から挟み、光源９５が前支持部材９７に設けられた光源用孔１０２に配置される。
【００３９】
このように構成された光源ユニット９４は、スライダー１３の後から光源ユニット収容部９１に収容され、前支持部材９７及び後支持部材９８のくびれ部１０３が光源ユニット逃げ部９２に後方から挿入された後、タッピングスクリューのような固定具１０５がばね受体１０６に設けられた取付部１０７を経由してスライダー１３に設けられた取付部１０８に締結され、ばね受体１０６が光源ユニット収容部９１を後から塞いでスライダー１３に固定される。固定具１０５を用いることなく、中立保持ばねでばね受体１０６をスライダー１３に押し付けるだけでもよい。光源９５や回路基板９６と前支持部材９７の上部及び後支持部材９８の上部がスライダー１３の光源ユニット収容部９１とばね受体１０６とで囲まれた内部空間に前後方向に移動可能に収容された状態になる。ばね受体１０６には、スイッチ作動体１４がばね受体１０６の中心部から後方に突出するように設けられる。
【００４０】
また、スイッチホルダー１７がスイッチ１６を覆いつつ後容器２２の後に重ね合わされ、固定具８６が後容器２２の前から後容器２２の取付部８１（図３参照）を貫通しスイッチホルダー１７の取付部６９に装着され、上記スライダー１３とスイッチ作動体１４と光源ユニット９４と前支持部材９７と後支持部材９８及びばね受体１０６からなる構造体が後容器２２に収容される。その場合、前支持部材９７の取付部１００が後容器２２に設けられた光源ユニット支持部１０９に装着される。これによって、光源ユニット９４が後容器２２に固定され、スライダー１３とスイッチ作動体１４と中立保持ばね１５とばね受体１０６とが後容器２２に移動可能に収容される。換言すると、スライダー１３とスイッチ作動体１４と中立保持ばね１５と操作部材４を光で表示する光源ユニット９４とスイッチ１６及びスイッチホルダー１７ばね受体１０６とが後容器２２に装着される。その後、前容器２１と後容器２２とが固定具８７で互いに結合されることによって、遊技操作レバー装置１が図９に示すように構成される。
【００４１】
図９に示すように、光源ユニット１１の複数の光源５２からの光がレバー３の周囲の１つの円周上に配置された光放出部４６から放射されて遊技演出を表示し、レバー３の固定軸受５と可動軸受６とからなる回転中心部の後方周りに配置された光源ユニット９４の光源９５からの光１１０がレバー３に導光部１１１を通過して操作部材４から放射されて遊技演出を表示することができる。
【００４２】
図１０に示すように、容器２の中心線Ｌ１とレバー３の中心線Ｌ２とが回転中心部を交差点として互いに交差し、レバー３が固定軸受５と可動軸受６とからなる回転中心部として揺動運動を行うように操作された場合においても、光源ユニット９４の光源９５がレバー３の回転中心部に近接して配置されたことによって、例えば光源９５が１個であっても、光源９５からの光１１０が導光部１１１に適切に取り込まれて操作部材４を好適に表示することができる。
【００４３】
「実施の形態３」
図１１を参照し、実施の形態３に係るスイッチホルダー１７及び裏カバー１１２が容器２に取り付けられる構成について説明する。先ず、スイッチホルダー１７が容器２２に取り付けられる構成について説明すると、後容器２２の取付部４３がスイッチホルダー１７の取付部１１３を嵌め合わせる構造になっている。取付部１１３は、スイッチホルダー１７の周縁部から前方に突出した弾性片の先端部にフック１１４を備える。そして、スイッチホルダー１７がスイッチ１６を覆いつつ後容器２２の後に重ね合わされる場合、取付部１１３が後容器２２の取付部４３に挿入され、取付部１１３のフック１１４が取付部４３に係止されることによって、スイッチホルダー１７が容器２に固定される。
【００４４】
次に、裏カバー１１２が容器２に取り付けられる構成について説明すると、前容器２１には取付部１１５が裏カバー１１２の取付部１１６を嵌め合わせる構造になっている。取付部１１６は、裏カバー１１２の周縁部から前方に突出した弾性片の先端部にフック１１７を備える。そして、裏カバー１１２が後容器２１を覆いつつ前容器２１の後に重ね合わされる場合、取付部１１６が後容器２２を経由して前容器２１の取付部１１３に挿入され、取付部１１６のフック１１７が取付部１１５に係止されることによって、裏カバー１１２が容器２に固定される。
【００４５】
「実施の形態４」
図示は省略したが、例えば、図２に示すレバー３を容器２に支持する回転中心部がレバー３を容器２に上下方向にだけ揺動運動を行うように構成されてもよい。つまり、図６において、固定軸受５及び可動軸受６の代わりに、軸部材の中心線が容器２の中心線Ｌ１に直交方向に延びるように当該軸部材を配置し、この軸部材でレバー３を容器２に上下方向にだけ揺動運動を行うように支持する構造であり、レバー３とスイッチ作動体１４とを１本の棒として構成する。
【００４６】
「実施の形態５」
図示は省略したが、例えば、図２に示す導光部材９の中間部及び光取入部４７を複数に分離することなく単一体として構成し、当該単一体の前面に複数の光放出部４６を前導光用孔２７に収容されるように設けてもよい。
【００４７】
「実施の形態６」
図示は省略したが、例えば、図２に示すユニットカバー１２は除去してもよい。
【符号の説明】
【００４８】
１は遊技操作レバー装置、２は容器、３はレバー、４は操作部材、５は固定軸受、６は可動軸受、７はワッシャ、８はナット、９は導光部材、１０は導光支持部材、１１は光源ユニット、１２はユニットカバー、１３はスライダー、１４はスイッチ作動体、１５は中立保持ばね、１６はスイッチ、１７はスイッチホルダー、１８乃至２０は欠番、２１は前容器、２２は後容器、２３は前外突部、２４は前内突部、２５；２６は取付部、２７は前導光用孔、２８はレバー用孔、２９は欠番、３０は外嵌合部、３１は内嵌合部、３２は機構ユニット収容部、３３；３４は取付部、３５は欠番、３６は挿入部、３７は雄螺子部、３８は欠番、３９は前突部、４０はレバー用孔、４１は欠番、４２はレバー取付部、４３は突部収容部、４４は可動受突部、４５は欠番、４６は光放出部、４７は光取入部、４８は欠番、４９は後導光用孔、５０は支持補助孔、５１は欠番、５２は光源、５３は回路基板、５４はコネクタ、５５は電線、５６は欠番、５７はガイド部、５８は突起、５９は欠番、６０は発光部、６１は受光部、６２は凹部、６３は電線、６４は光、６５は欠番、６６はスイッチ収容部、６７は開口、６８は配線用溝、６９は取付部、７０は欠番、７１は後嵌合部、７２は光源ユニット収容部、７３は軸受収容部、７４は配線用溝、７５は放射隔壁、７６は筒状隔壁、７７は欠番、７８は作動体用孔、７９はスイッチ収容部、８０は配線用溝、８１は取付部、８２は欠番、８３は固定受突部、８４は固定具収容部、８５は欠番、８６；８７は固定具、８８は相手側部材、８９は貫通孔、９０は欠番、９１は光源ユニット収容部、９２は光源ユニット逃げ部、９３は光透過孔、９４は光源ユニット、９５は光源、９６は回路基板、９７は前支持部材、９８は後支持部材、９９は電線、１００は取付部、１０１は取付部、１０２は貫通孔、１０３はくびれ部、１０４は欠番、１０５は固定具、１０６はばね受体、１０７は取付部、１０８は取付部、１０９は光源ユニット支持部、１１０は光、１１１は導光部、１１２は裏カバー、１１３は取付部、１１４はフック、１１５；１１６は取付部、１１７はフック、Ｌ１は容器２の中心線、Ｌ２はレバー３の中心線
【図１】
0005623065.tif 000002
【図２】
0005623065.tif 000003
【図３】
0005623065.tif 000004
【図４】
0005623065.tif 000005
【図５】
0005623065.tif 000006
【図６】
0005623065.tif 000007
【図７】
0005623065.tif 000008
【図８】
0005623065.tif 000009
【図９】
0005623065.tif 000010
【図１０】
0005623065.tif 000011
【図１１】
0005623065.tif 000012